(57)【特許請求の範囲】
【請求項１】
１対の切断刃（４）が連結部材（５）に開閉可能に枢支された切断工具であって、
切断刃（４）に対応して１対の逃げ防止部材（１５）が連結部材（５）に対して枢支され、１対の逃げ防止部材（１５）間には閉鎖状態で、切断刃（４）間に入る被切断材（２）を収納可能な収納開口（１９）と、収納開口（１９）の先端側にあって被切断材（２）を収納開口（１９）から逃げ止めする逃げ止め部（２０）とが形成されており、
１対の逃げ防止部材（１５）の先端側は、１対の切断刃（４）よりも刃先端方向へ突出しており、被切断材（２）を切断刃（４）間に導入する先端広がりに傾斜したガイド部（２３）が形成され、逃げ防止部材（１５）の基部と連結部材（５）との間に各逃げ防止部材（１５）を閉鎖方向に付勢する付勢具（２５）が具備されていることを特徴とする切断工具。
【請求項２】
１対の切断刃（４）が連結部材（５）に開閉可能に枢支された切断工具であって、
切断刃（４）に対応して１対の逃げ防止部材（１５）が連結部材（５）に対して枢支され、１対の逃げ防止部材（１５）間には閉鎖状態で、切断刃（４）間に入る被切断材（２）を収納可能な収納開口（１９）と、収納開口（１９）の先端側にあって被切断材（２）を収納開口（１９）から逃げ止めする逃げ止め部（２０）とが形成されており、
前記連結部材（５）に取付板（２９）が固定され、この取付板（２９）に１対の逃げ防止部材（１５）の基部が開閉自在に枢支されており、前記取付板（２９）には収納開口（１９）に対応して被切断材（２）を収納可能な盗み（３３）が設けられていることを特徴とする切断工具。
【請求項３】
１対の切断刃（４）が連結部材（５）に開閉可能に枢支された切断工具であって、
切断刃（４）に対応して１対の逃げ防止部材（１５）が連結部材（５）に対して枢支され、１対の逃げ防止部材（１５）間には閉鎖状態で、切断刃（４）間に入る被切断材（２）を収納可能な収納開口（１９）と、収納開口（１９）の先端側にあって被切断材（２）を収納開口（１９）から逃げ止めする逃げ止め部（２０）とが形成されており、
１対の切断刃（４）は先端側に刃部（４ｂ）が形成され、長手方向中途部が連結部材（５）に枢支され、基部（４ａ）に刃枢軸（７）を介してハンドル（８）の先端が枢着され、前記１対のハンドル（８）の先端が２本の刃枢軸（７）間でハンドル枢軸（９）を介して開閉可能に枢支連結されており、前記逃げ防止部材（１５）の収納開口（１９）は、切断刃（４）の刃部（４ｂ）の略全長に亘る長さに形成されていることを特徴とする切断工具。
【請求項４】
１対の切断刃（４）は先端側に刃部（４ｂ）が形成され、長手方向中途部が連結部材（５）に枢支され、基部（４ａ）に刃枢軸（７）を介してハンドル（８）の先端が枢着され、前記１対のハンドル（８）の先端が２本の刃枢軸（７）間でハンドル枢軸（９）を介して開閉可能に枢支連結されており、前記逃げ防止部材（１５）の収納開口（１９）は、切断刃（４）の刃部（４ｂ）の略全長に亘る長さに形成されていることを特徴とする請求項１又は２に記載の切断工具。
【発明の詳細な説明】
【技術分野】
【０００１】
本発明は、開閉可能に枢支された１対の切断刃で被切断材を切断するようにした切断工具に関するものである。
【背景技術】
【０００２】
ワイヤ、ケーブル、棒材、管材等の被切断材を切断するようにした従来の切断工具には、１対の切断刃が連結部材に開閉可能に枢支され、各切断刃の基部に刃枢着部材を介してハンドルの先端が枢着され、前記１対のハンドルがハンドル枢着部材で開閉可能に枢着され、ハンドルの開閉操作によって１対の切断刃間に入れた被切断材を切断するようにしたものがある（例えば特許文献１）。
【先行技術文献】
【特許文献】
【０００３】
【特許文献１】特開２００７−１５１８８９号公報
【発明の概要】
【発明が解決しようとする課題】
【０００４】
しかし、従来では、被切断材を切断する場合、１対のハンドルを両手で把持して１対の切断刃を開いた状態で、切断刃を被切断材に近づけて切断刃間に被切断材を入れ、この状態で１対のハンドルを閉じて１対の切断刃を閉じ、被切断材を切断刃間で切断する。この切断する際に、被切断材は切断刃から先端側に向かう応力を受けるため、切断刃間から被切断材が先端側に逃げてしまい、被切断材を上手く切断できなくなるという問題があった。
【０００５】
本発明は上記問題点に鑑み、切断刃間から被切断材が逃げないようにして、被切断材を上手く確実に切断することができる切断工具を提供することを目的としている。
【課題を解決するための手段】
【０００６】
本発明における課題解決のための具体的手段は、次の通りである。
この技術的課題を解決する本発明の技術的手段は、１対の切断刃４が連結部材５に開閉可能に枢支された切断工具であって、
切断刃４に対応して１対の逃げ防止部材１５が連結部材５に対して枢支され、１対の逃げ防止部材１５間には閉鎖状態で、切断刃４間に入る被切断材２を収納可能な収納開口１９と、収納開口１９の先端側にあって被切断材２を収納開口１９から逃げ止めする逃げ止め部２０とが形成されている点にある。
また、本発明の他の技術的手段は、１対の逃げ防止部材１５の先端側は、１対の切断刃４よりも刃先端方向へ突出しており、被切断材２を切断刃４間に導入する先端広がりに傾斜したガイド部２３が形成され、逃げ防止部材１５の基部と連結部材５との間に各逃げ防止部材１５を閉鎖方向に付勢する付勢具２５が具備されている点にある。
【０００７】
また、本発明の他の技術的手段は、前記連結部材５に取付板２９が固定され、この取付板２９に１対の逃げ防止部材１５の基部が開閉自在に枢支されており、前記取付板２９には収納開口１９に対応して被切断材２を収納可能な盗み３３が設けられている点にある。
また、本発明の他の技術的手段は、１対の切断刃４は先端側に刃部４ｂが形成され、長手方向中途部が連結部材５に枢支され、基部４ａに刃枢軸７を介してハンドル８の先端が枢着され、前記１対のハンドル８の先端が２本の刃枢軸７間でハンドル枢軸９を介して開閉可能に枢支連結されており、前記逃げ防止部材１５の収納開口１９は、切断刃４の刃部４ｂの略全長に亘る長さに形成されている点にある。
【発明の効果】
【０００８】
本発明によれば、切断刃間に入った被切断材は逃げ防止部材間の収納開口に収納されて、逃げ防止部材を閉鎖したときに、収納開口の先端側にある逃げ止め部によって被切断材を収納開口から逃げ止めするため、被切断材を切断板間に保持して切断刃で被切断材を確実かつ良好に切断することができる。
【図面の簡単な説明】
【０００９】
【図１】本発明の一実施形態を示す切断工具の平面図である。
【図２】同切断工具の正面図である。
【図３】同切断工具の底面図である。
【図４】作用説明用の切断工具の平面図である。
【図５】作用説明用の切断工具の平面図である。
【発明を実施するための形態】
【００１０】
以下、本発明の実施の形態を図面に基づいて説明する。
図１〜３において、切断工具１は、例えばワイヤ素線又は撚り線の強靱な被切断材２を切断するものであり、１対の切断刃４が連結部材５で開閉可能に枢支連結され、各切断刃４の基部４ａに刃枢軸７を介してハンドル８の先端が枢着され、前記１対のハンドル８の先端が２本の刃枢軸７間でハンドル枢軸９を介して互いに開閉可能に枢支連結されている。
【００１１】
各切断刃４は先端側に刃部４ｂが形成されていて、刃部４ｂから基部４ａ側が互いに離れる方向に傾斜していて次第に細くなっている。この刃部４ｂが対向するように１対の切断刃４が対向配置されており、１対の切断刃４の両面側に板片で形成された表裏連結部材５が配置されている。
表裏連結部材５は、切断刃４の長手方向中央より刃部４ｂ側で１対の切断刃４を挟んでおり、ボルトで形成された枢支部材１１を両者に貫通して枢支連結している。従って、切断刃４は長手方向中途部が連結部材５に枢支部材１１で枢支され、枢支部材１１を中心に揺動して、被切断材２を切断するための開閉動作をする。
【００１２】
前記１対のハンドル８は先端に対向内方向に突出した枢着部８ａが形成されており、両ハンドル８の枢着部８ａがボルトで形成されたハンドル枢軸９によって開閉可能に枢着されている。なお、ハンドル８の一方の枢着部８ａは二股形状であり、他方の枢着部８ａは二股に入る形状である。
前記１対のハンドル８には、ハンドル枢軸９より基部４ａ側に対向内方向に突出したストッパ１２が設けられ、両ストッパ１２が当接することにより、ハンドル８の閉動作は停止される。
【００１３】
１対の切断刃４の表側に対応して１対の逃げ防止部材１５が設けられている。この逃げ防止部材１５は切断刃４間に入った被切断材２がその先端側から逃げないようにするもので、板状に形成され、逃げ防止部材１５の基部が切断刃４の先端側の外面上に配置されると共に各逃げ防止部材１５の先端側が切断刃４よりも外方突出されていて、１対の逃げ防止部材１５は後述の取付板２９を介して連結部材５に対して枢支軸１７で開閉自在に枢支されている。
【００１４】
１対の逃げ防止部材１５間には、閉鎖状態で、切断刃４間に入る被切断材２を収納可能な収納開口１９と、収納開口１９の先端側にあって被切断材２を収納開口１９から逃げ止めする逃げ止め部２０とが形成されている。収納開口１９は、各逃げ防止部材１５の基部側の対向端部に形成した１対の切欠凹部２２によって構成され、１対の切断刃４間に対応して被切断材２を収納保持する。逃げ止め部２０は各逃げ防止部材１５の切欠凹部２２の先端側に設けた１対の止め片２１によって構成され、逃げ防止部材１５の閉鎖により１対の止め片２１が互いに当接して収納開口１９の先端側を塞ぐようになっている。
【００１５】
１対の逃げ防止部材１５の先端側は、１対の切断刃４よりも刃先端方向へ突出しており、被切断材２を切断刃４間に導入する先端広がりに傾斜したガイド部２３が形成されている。１対のガイド部２３の対向端面は、被切断材２を収納開口１９に案内するように先端広がりに傾斜したガイド面２３ａとされている。
逃げ防止部材１５の基部と連結部材５との間に各逃げ防止部材１５を閉鎖方向に付勢する付勢具２５が具備されている。各逃げ防止部材１５の基部にその基端面から先端側に向けて没入形成されたバネ収納凹部２６が設けられ、各バネ収納凹部２６にコイルバネ２７が外方突出状に収納され、コイルバネ２７の突出端部が連結部材５の先端側端面に当接され、これにより前記付勢具２５がコイルバネ２７により構成され、対向する逃げ防止部材１５を閉鎖方向に付勢するようになっている。
【００１６】
前記表側の連結部材５に取付板２９が固定されている。この取付板２９は連結部材５上に重合固定された固定板部２９ａと、各逃げ防止部材１５の基部上に配置された１対の支持板部２９ｂとを備え、固定板部２９ａはボルト等の固定具３１により連結部材５に締め付け固定されている。
支持板部２９ｂの裏面側は固定板部２９ａよりも逃げ防止部材１５側に向けて突出していて板厚が大になっている。１対の支持板部２９ｂに１対の逃げ防止部材１５の基部がボルトナット等により構成された枢支軸１７廻りに開閉自在に枢支されており、前記取付板２９の支持板部２９ｂ間には収納開口１９に対応して被切断材２を収納可能な凹状の盗み３３が設けられている。
【００１７】
前記逃げ防止部材１５の収納開口１９は、切断刃４の刃部４ｂの略全長に亘る長さに形成され、刃部４ｂの長手方向に長く形成されている。これにより、例えば南京錠のＵ字形の掛け金を収納開口１９に収納して、切断刃４で２箇所を同時に切断することが可能になっている。
前記実施形態によれば、被切断材２を切断する場合、１対のハンドル８を両手で把持して、図１に２点鎖線で示すように切断刃４を開き、この状態で切断刃４乃至逃げ防止部材１５を被切断材２に対して近づけると、図１に実線で示すように、被切断材２が逃げ防止部材１５の１対のガイド部２３間に簡単に入り、ガイド面２３ａを摺動してガイド部２３間の基部に案内される。さらに、ガイド部２３の基部を被切断材２に押し付けると、被切断材２が反作用でガイド面２３ａを押圧し、図４に示すように、逃げ防止部材１５が付勢具２５の付勢に抗して枢支軸１７廻りに揺動して開く。その後、図１の２点差線又は図５に示すように、被切断材２が収納開口１９に収納されと共に、付勢具２５の付勢によって、逃げ防止部材１５が枢支軸１７廻りに揺動して閉じ、逃げ止め部２０の１対の止め片２１が互いに当接して、収納開口１９の先端側が閉じられ、被切断材２は収納開口１９内に収納される。
【００１８】
この状態で、ハンドル８を操作して１対の切断刃４を閉じると、被切断材２が切断刃４間で切断される。この際に、収納開口１９の先端側にある逃げ止め部２０によって被切断材２を収納開口１９から逃げ止めするため、逃げ防止部材１５によって切断刃４間から被切断材２が逃げるのを防止できる。従って、切断刃４間に入った被切断材２は逃げ防止部材１５間の収納開口１９に収納され、被切断材２が切断刃４間に確実に保持されて、被切断材２を切断刃４で上手く確実に切断することができる。
【００１９】
なお、前記実施形態では、１対の逃げ防止部材１５の先端側に先端広がりに傾斜したガイド部２３が形成され、逃げ防止部材１５を閉鎖方向に付勢する付勢具２５が具備さているが、ガイド部２３や付勢具２５を省略するようにしてもよく、この場合、例えば、ハンドル８の基部に逃げ防止部材１５を開閉操作するための操作レバー等を設け、逃げ防止部材１５の開閉を手動で遠隔操作するようにしてもよい。
【００２０】
また、切断工具１は１対の切断刃４が連結部材５に開閉可能に枢支されたものであればよく、例えば、一対の切断刃４が連結部材５に１点で開閉可能に枢支されたものであってもよい。また、一対の切断刃４に対して操作用のハンドル８が一体に連結固定されたものであってもよいし、操作用のハンドル８が省略されていて、一対の切断刃４の開閉を他の工具や器具その他で操作するようにしてもよい。
【符号の説明】
【００２１】
１      切断工具
２      被切断材
４      切断刃
４ａ    基部
４ｂ    刃部
５      連結部材
７      刃枢軸
８      ハンドル
９      ハンドル枢軸
１５    逃げ防止部材
１９    収納開口
２０    逃げ止め部
２３    ガイド部
２５    付勢具
２９    取付板
３３    盗み
【図１】
0006473061.tif 000002
【図２】
0006473061.tif 000003
【図３】
0006473061.tif 000004
【図４】
0006473061.tif 000005
【図５】
0006473061.tif 000006